(57)【要約】【課題】運搬及び保管に好適な立看板を提供する。【解決手段】少なくとも左右一対の筒状の縦ポール１０同士を、横ポール１１により連結した下部フレーム４と、下部フレーム４の一対の縦ポール１０に摺動自在に挿入された脚ポール２０および脚ポール２０の上端部同士を連結する横ポール２１とからなり、下部フレーム４の縦ポール１０に対する脚ポール２０の挿入位置を変更することにより下部フレーム４に対して少なくとも高位置若しくは低位置を選択可能な上部フレーム５と、を備える。また、下部フレーム４の縦ポール１０の上端側に接続具１４Ａを介して揺動可能に設けた支持フレーム６と、支持フレーム６の下部フレーム４に対する開き角度を制限する開き止め部材７と、を備える。そして、上部フレーム５と下部フレーム４との間に固定されるシート３を備える。【選択図】図１
2014174373.tif 000002
【特許請求の範囲】
【請求項１】
少なくとも左右一対の筒状の縦ポール同士を横ポールにより連結した下部フレームと、
前記下部フレームの一対の縦ポールに摺動自在に挿入された脚ポールと、脚ポールの上端部同士を連結する横ポールとからなり、前記下部フレームの縦ポールに対する脚ポールの挿入位置を変更することにより前記下部フレームに対して少なくとも高位置若しくは低位置を選択可能な上部フレームと、
前記下部フレームの縦ポールの上端側に接続具を介して揺動可能に設けた支持フレームと、
前記支持フレームの前記下部フレームに対する開き角度を制限する開き止め部材と、
前記上部フレームと前記下部フレームとの間に固定されるシートと、を備えることを特徴とする立看板。
【請求項２】
前記上部フレームは、前記下部フレームの縦ポールに対する脚ポールの挿入位置を浅くして前記下部フレームに対して前記高位置に固定され、
前記シートの上端は、前記上部フレームに設けたフックに係合され、
前記シートの下端は、前記下部フレームに設けたフックに固定されることを特徴とする請求項１に記載の立看板。
【請求項３】
前記上部フレームは、前記下部フレームの縦ポールに対する脚ポールの挿入位置を深くして前記下部フレームに対して前記低位置にされ、
前記シートの上端は、前記上部フレームに設けたフックに係合され、
前記シートの下端は、前記下部フレームの背面側を覆って、前記上部フレームに設けたフックに固定されることを特徴とする請求項１に記載の立看板。
【請求項４】
前記シートの下端は、伸縮性のある弾性部材からなるテンションバンドを介して前記下部フレーム若しくは前記上部フレームに設けたフックに固定されることを特徴とする請求項１から請求項３のいずれか一つに記載の立看板。
【請求項５】
前記シートの幅寸法は、前記下部フレームの縦ポール及び前記上部フレームの脚ポールの幅寸法より小さく形成されていることを特徴とする請求項１から請求項４のいずれか一つに記載の立看板。
【請求項６】
前記シートの下端は、前記下部フレームの横ポールの下側をくぐらせて前記下部フレームの背面側に引出し、前記上下フレームのいずれかに固定されることを特徴とする請求項１から請求項５のいずれか一つに記載の立看板。
【発明の詳細な説明】
【技術分野】
【０００１】
本発明は、道路標識、工事用看板、案内板、店舗の案内・宣伝用等の立看板に関するものである。
【背景技術】
【０００２】
従来から、立看板の代表的な使用例として、道路における道路補修工事、上下水道工事、電気工事、電話工事およびガス工事等の現場周辺に配置される工事用等の立看板がある（特許文献１参照）。この立看板は、鉄製の枠体の表面に薄い板体をねじで取付け、その板体に、歩行者あるいは車両に対する指示事項を示す文字（または図形、以下同じ）を記載して構成される。枠体の背部には開閉可能に脚体が取付られており、脚体を枠体から広げることにより、立看板として任意の場所に設置することができるようにしている。
【先行技術文献】
【特許文献】
【０００３】
【特許文献１】特開平１１−１４８１１６号公報
【発明の概要】
【発明が解決しようとする課題】
【０００４】
ところで、このような工事用等の立看板は、工事の終了後には再利用するために、工事現場から回収され、運搬されて、倉庫等に保管される。しかしながら、このような工事用等の立看板は、例えば、１．８ｍ×０．６ｍと大型であり重量もあるため、その運搬が容易でなく、しかも、大きい保管スペースを必要とする不具合があった。
【０００５】
そこで本発明は、上記問題点に鑑みてなされたもので、運搬及び保管に好適な立看板を提供することを目的とする。
【課題を解決するための手段】
【０００６】
本発明は、少なくとも左右一対の筒状の縦ポール同士を、横ポールにより連結した下部フレームと、下部フレームの一対の縦ポールに摺動自在に挿入された脚ポールおよび脚ポールの上端部同士を連結する横ポールを備えた上部フレームと、を備える。また、本発明は、下部フレームの縦ポールの上端側に接続具を介して揺動可能に設けた支持フレームと、支持フレームの下部フレームに対する開き角度を制限する開き止め部材と、上部フレームと下部フレームとの間に固定されるシートと、を備える。そして、上部フレームは、下部フレームの縦ポールに対する脚ポールの挿入位置を変更することにより下部フレームに対して少なくとも高位置若しくは低位置を選択可能に構成している。
【発明の効果】
【０００７】
したがって、本発明では、使用終了時に、上部フレームを下部フレームに対して低位置にすることにより、立看板を収縮させて小型化することができる。結果として、回収・運搬や車両に積載して搬送することが容易となり、倉庫等への保管スペースも小さくすることができる。
【図面の簡単な説明】
【０００８】
【図１】本発明の一実施形態を示す立看板の正面図である。
【図２】同じく立看板の側面図である。
【図３】上部フレームと下部フレームとの固定部分を示す断面図である。
【図４】反射シートの下部固定状態を示す説明図である。
【図５】立看板の使用状態の一例を示す正面図（Ａ）及び側面図（Ｂ）である。
【図６】立看板の使用状態の他の例を示す説明図である。
【図７】立看板の使用状態の他の例の反射シートの下端固定の状態を示す部分拡大図である。
【図８】立看板の使用状態の他の例を示す正面図（Ａ）及び側面図（Ｂ）である。
【図９】立看板の回収・保管状態を示す側面図である。
【発明を実施するための形態】
【０００９】
以下、本発明の立看板を実施形態に基づいて説明する。
【００１０】
図１及び図２は、本発明を適用した立看板の実施形態を示す正面図及び側面図である。図１及び図２において、立看板１は、フレーム２と、フレーム２に取付けて使用する反射シート３と、からなる。
【００１１】
フレーム２は、金属製のポールにより枠状に形成された下部フレーム４と、下部フレーム４に対して伸縮可能に取付けた上部フレーム５と、を備える。また、フレーム２は、下部フレーム４の背面に開閉可能に取付けた支持フレーム６と、支持フレーム６を開位置に固定する開き止め部材７と、を備える。
【００１２】
下部フレーム４は、左右一対の縦ポール１０と、上下一対の横ポール１１と、よりなり、一対の縦ポール１０の上端及び下端近傍同士と、上下一対の横ポール１１の端部とを、夫々溶接固定して枠状に形成される。一対の縦ポール１０の上端はポール孔が開口した状態とされ、上部フレーム５の脚ポール２０が挿入可能となっている。また、一対の縦ポール１０の下端には、キャップ１２を嵌め込んでいる。
【００１３】
下部フレーム４の縦ポール１０の上端部近傍の背面には、図３に示すように、半径方向の孔と当該孔にねじ穴が連なるようにナット１３がポール１０外周に溶接固定されている。ナット１３には、サムスクリュー１７がねじ込まれ、サムスクリュー１７の先端でポール１０内部の上部フレーム５の後述する脚ポール２０を抑えて固定する。下部フレーム４の縦ポール１０の背面には、上下方向に離間させて２個の接続金具１４Ａ，１４Ｂが溶接により固定されている。上方の接続金具１４Ａには支持フレーム６の上端がピン結合により連結され、下方の接続金具１４Ｂには開き止め部材７の一端がピン結合により連結されるようになっている。
【００１４】
また、一対の縦ポール１０の背面には、反射シート３の下部を固定するための下部フック１５が設けられている。また、下部フレーム４の上側横ポール１１には、後方の横方向に離間させた２箇所に電柱固定用フック１６が設けられ、図示しないが、ゴムバンドの両端に設けた止めリングを係合可能としている。そして、ゴムバンドを図示しない電柱に巻掛けて、両端に設けた止めリングを各電柱固定用フック１６に係合させることにより、下部フレーム４を電柱に立て掛けて固定することができる。
【００１５】
上部フレーム５は、下部フレーム４の一対の縦ポール１０を構成するポール孔に、その上端から抜き差し可能に挿入される脚ポール２０と、脚ポール２０の上端同士を連結する横ポール２１と、を備え、全体としてＵ字状若しくはコ字状に形成されている。上部フレーム５は、その脚ポール２０を下部フレーム４から抜き出して伸長させた状態では、下部フレーム４の下端から、上部フレーム５の横ポール２１までの長さ寸法が、例えば、工事用看板としての、１．５ｍ程度となるよう設定されている。また、上部フレーム５は、その脚ポール２０を下部フレーム４に深く差込んだ状態では、下部フレーム４の下端から、上部フレーム５の横ポール２１までの長さ寸法が、例えば、１ｍ弱となるよう設定されている。
【００１６】
上部フレーム５の脚ポール２０の下部フレーム４に対する抜き出し位置及び差込み位置で固定するように形成される。具体的には、図３に示すように、下部フレーム４の縦ポール１０に設けたナット１３にサムスクリュー１７をねじ込み、サムスクリュー１７の先端でポール１０内部の上部フレーム５の脚ポール２０を抑えて固定する。上部フレーム５の下部フレーム４に対する抜き出し位置及び差込み位置で、上部フレーム５が停止するように、脚ポール２０と下部フレーム４の縦ポール１０との間にストッパを設けることが望ましい。
【００１７】
上部フレーム５の横ポール２１には、その両端近傍において、前方に突出させて看板用フック２２が設けられている。また、上部フレーム５の横ポール２１には、後方の横方向に離間させた２箇所に電柱固定用フック２３が設けられ、ゴムバンド２４の両端に設けた止めリング２５を係合可能としている。そして、ゴムバンド２４を図示しない電柱に巻掛けて、両端に設けた止めリング２５を各電柱固定用フック２３に係合させることにより、フレーム２を電柱に立て掛けて固定することができる。
【００１８】
支持フレーム６は、一対の縦ポール３０と、縦ポール３０同士を連結する横ポール３１と、より形成され、その連結部同士を溶接することにより、Ｈ字状に一体形成されている。一対の縦ポール３０の下端には、キャップ３２を嵌め込んでいる。一対の縦ポール３０の上端は、ピンを介して下部フレーム４の上方の接続金具１４Ａに連結されている。このため、支持フレーム６は、上端のピンを中心として、下部フレーム４に対して揺動可能となっている。また、支持フレーム６の下端近傍には、下部フレーム４に向けて接続金具３３が溶接により固定されており、対向する下部フレーム４の下側の接続金具１４Ｂと支持フレーム６の当該接続金具３３との間には、ピン連結して開き止め部材７が配置される。
【００１９】
開き止め部材７は、対向する下部フレーム４の下側の接続金具１４Ｂと支持フレーム６の接続金具３３とに、それぞれピンで端部を連結した前後２本のリンク４０Ａ，４０Ｂを中央ピン４１で連結して構成している。そして、中央ピン４１で連結した前後リンク４０Ａ，４０Ｂの内の一方の中央側端部に、他方のリンクの中央側端部に上側から重なるストッパ４２を設ける。このため、中央ピン４１を介して開き止め部材７の下側への折曲げを阻止すると共に、中央ピン４１を介して上側への折曲げのみは許容されるようにしている。そして、中央ピン４１を持上げて前後のリンク４０Ａ，４０Ｂが重なるよう開き止め部材７を完全に折曲げた状態では、支持フレーム６は下部フレーム４に沿って閉じた状態（折畳み状態）となる。また、中央ピン４１を押下げてストッパ４２が他方のリンク上端に接触させて前後のリンク４０Ａ，４０Ｂが直線状となる状態では、支持フレーム６は下部フレーム４に対して下端を離間させた開いた状態（設置状態）となる。
【００２０】
反射シート３は、例えば、道路工事用の立看板１においては、道路における道路補修工事、上下水道工事、電気工事、電話工事およびガス工事等の工事内容・工事告知を表示するものである。工事の内容としては、工事の種類や工事区間、工事期間、工事施工者名、工事許可年月日、工事許可番号、などであり、工事の告知としては、「○○米さき工事中、○○警察署」「○○ｍ先より片側通行です」など、といった種々の表示内容がある。
【００２１】
反射シート３は、下部フレーム４及び上部フレーム５の幅方向寸法より小さい幅寸法と、下部フレーム４から伸長された状態の上部フレーム５の横ポール２１から下部フレーム４の下部横ポール１１までの寸法より若干長い縦寸法を備えて形成されている。反射シート３は、帆布や樹脂シート等により形成され、上下両端には幅方向の補強板を巻込み固定した補強部５１Ａ，５１Ｂを備え、幅方向両端は折返し部により形成した補強部５２を備える。
【００２２】
反射シート３の上端補強部５１Ａには、上部フレーム５の横ポール２１に設けた看板用フック２２に係合する止め孔５３が設けられている。反射シート３の下端補強部５１Ｂの両端近傍には、伸縮性のあるゴム若しくは金属製の引張りコイルばねにより形成されたテンションバンド５４の一端がピンを介して固定されている。テンションバンド５４の他端には、ロックリング５５が固定されている。
【００２３】
反射シート３は、上部補強部５１Ａの止め孔５３を看板用フック２２に係合させて、上部がフレーム２に保持される。反射シート３の下部は、下部フレーム４の下部横ポール１１の下側をくぐらせて下部フレーム４の背面に引出すようにしている。そして、図４に示すように、下部補強部５１Ｂに設けたテンションバンド５４のロックリング５５を下部フレーム４の縦ポール１０背面の下部フック１５に係合させることにより、フレーム２に固定することができる。
【００２４】
以上の構成の立看板１の使用形態について、道路における道路補修工事、上下水道工事、電気工事、電話工事およびガス工事等の現場周辺に配置される工事用等に使用する立看板１を一例として、以下に説明する。
【００２５】
先ず、下部フレーム４から上部フレーム５を抜き出して伸長させた使用形態について説明する。下部フレーム４から上部フレーム５を抜き出して、フレーム２を伸長させ、下部フレーム４の縦ポール１０に設けたサムスクリュー１７をねじ込み、上下フレーム４，５を一体化させる。次いで、開き止め部材７の中央ピン４１を押下げて伸長させ、ストッパ４２を他方のリンク上端に接触させて前後のリンク４０Ａ，４０Ｂを直線状として、支持フレーム６を下部フレーム４に対して下端を離間させた開いた状態（設置状態）とする。
【００２６】
次いで、工事内容や工事告知を表示した反射シート３の上部補強部５１Ａの止め孔５３を看板用フック２２に係合させて、上部をフレーム２に保持させる。次いで、反射シート３の下部を、下部フレーム４の下部横ポール１１の下側にくぐらせて下部フレーム４の背面に引出す。そして、下部補強部５１Ｂに設けたテンションバンド５４のロックリング５５を下部フレーム４の縦ポール１０背面の下部フック１５に係合させて固定する。そして、以上のようにして、図５（Ａ）及び図５（Ｂ）に示すように形成した立看板１を、工事現場に設置して使用する。また、必要に応じて、開き止め部材７に砂袋などの重しを載せることで、より安定して設置することができる。
【００２７】
この状態においては、反射シート３は、上部が看板用フック２２に止められ、下部がテンションバンド５４により下方に引張られるため、皺や弛みが取れて、上下フレーム４，５に真っ直ぐに張設することができる。また、反射シート３は、その幅方向端部が上下フレーム４，５の縦ポール１０及び脚ポール２０の内方に位置している。このため、強い風が当たっても、反射シート３の幅方向の縁と縦ポール１０及び脚ポール２０との隙間を通り抜けて、反射シート３がバタツクことを防止できる。
【００２８】
また、工事現場に電柱がある場合には、開き止め部材７の中央ピン４１を持上げて前後のリンク４０Ａ，４０Ｂが重なるよう開き止め部材７を完全に折曲げた状態として、支持フレーム６を下部フレーム４に沿って閉じた状態（折畳み状態）とする。そして、ゴムバンド２４を電柱に巻掛けて、両端に設けた止めリング２５を、上部フレーム５と下部フレーム４の少なくともいずれか一方の横ポール１１，２１に設けた電柱固定用フック１６，２３に係合させる。これにより、フレーム２を電柱に立て掛けて固定することができる。
【００２９】
次いで、下部フレーム４に上部フレーム５を差込んで収縮させた使用形態について説明する。下部フレーム４の縦ポール１０に上部フレーム５の脚ポール２０を差込んで、フレーム２を収縮させ、下部フレーム４の縦ポール１０に設けたサムスクリュー１７をねじ込み、上下フレーム４，５を一体化させる。次いで、開き止め部材７の中央ピン４１を押下げて伸長させ、ストッパ４２を他方のリンク上端に接触させて前後のリンク４０Ａ，４０Ｂを直線状として、支持フレーム６を下部フレーム４に対して下端を離間させた開いた状態（設置状態）とする。次いで、工事内容や工事告知を表示した反射シート３の上部補強部５１Ａの止め孔５３を看板用フック２２に係合させて、上部をフレーム２に保持させる。
【００３０】
次いで、反射シート３の下部を、図６に示すように、下部フレーム４の下部横ポール１１の下側にくぐらせて下部フレーム４の背面に引出す。そして、図７に示すように、下部補強部５１Ｂに設けたテンションバンド５４のロックリング５５をフレーム２の背面側から上部フレーム５の横ポール２１の看板用フック２２に係合させ、反射シート３をフレーム２に固定する。そして、以上のようにして、図８（Ａ）及び図８（Ｂ）に示すように形成した立看板１を工事現場に設置して使用する。また、必要に応じて、開き止め部材７に砂袋などの重しを載せることで、より安定して設置することができる。
【００３１】
この状態においては、反射シート３は、上部が看板用フック２２に止められ、下部がフレーム２の背面側からテンションバンド５４により下方に引張られるため、皺や弛みが取れて、上下フレーム４，５に真っ直ぐに張設することができる。この使用形態では、立看板１の高さが、例えば、１ｍ弱となるため、強い風が当たっても倒れることを防止できる。また、反射シート３は、その幅方向端部が上下フレーム４，５の縦ポール１０及び脚ポール２０の内方に位置している。このため、強い風が当たっても、反射シート３の幅方向の縁と縦ポール１０及び脚ポール２０との隙間を通り抜け、反射シート３がバタツクことを防止できる。また、反射シート３の表示面が半分強となるため、工事現場へ連なる道路に設ける工事予告や工事案内を表示するのに最適である。
【００３２】
また、設置する現場に電柱がある場合には、開き止め部材７の中央ピン４１を持上げて前後のリンク４０Ａ，４０Ｂが重なるよう開き止め部材７を完全に折曲げた状態として、支持フレーム６を下部フレーム４に沿って閉じた状態（折畳み状態）とする。そして、ゴムバンド２４を電柱に巻掛けて、両端に設けた止めリング２５を、上部フレーム５の横ポール２１に設けた電柱固定用フック２３に係合させることにより、フレーム２を電柱に立て掛けて固定することができる。
【００３３】
工事の終了後においては、立看板１は回収され、運搬されて、倉庫等に保管される。この手順について以下に説明する。下部フレーム４から上部フレーム５を抜き出して伸長させた使用形態では、先ず、下部フレーム４の縦ポール１０に上部フレーム５の脚ポール２０を差込んで、フレーム２を収縮させ、下部フレーム４の縦ポール１０に設けたサムスクリュー１７をねじ込み、上下フレーム４，５を一体化させる。
【００３４】
次いで、反射シート３の下部補強部５１Ｂに設けたテンションバンド５４のロックリング５５を下部フレーム４の縦ポール１０のフック１５から外し、上部フレーム５の横ポール２１の看板用フック２２に係合させ、反射シート３をフレーム２に固定する。なお、下部フレーム４に上部フレーム５を差込んで収縮させた使用形態では、設置状態において、上記状態となっているため、上記手順を省略することができる。
【００３５】
次いで、開き止め部材７の中央ピン４１を持上げて前後のリンク４０Ａ，４０Ｂが重なるよう開き止め部材７を完全に折曲げ、図９に示すように、支持フレーム６を下部フレーム４に沿って閉じた状態（折畳み状態）とする。このようにすることで、立看板１を収縮させて小型化することができる。このため、作業者による運搬や車両に積載し搬送することが容易となる。また、倉庫等への保管スペースを小さくすることができる。
【００３６】
なお、上記実施形態において、立看板１の使用例として、道路工事用の立看板１について説明したが、道路標識、店舗の案内・宣伝用等の立看板１に使用するものであってもよい。
【００３７】
また、上記実施形態において、上下フレーム４，５として、金属製のポールを使用するものについて説明したが、樹脂製のポールを使用するものであってもよく、また、下部フレーム４の縦ポール１０として、筒状となった角柱状のものであってもよい。
【００３８】
また、下部フレーム４の縦ポール１０及び横ポール１１として、左右一対の縦ポール１０及び上下一対の横ポール１１を備えるものについて説明したが、３本以上の縦ポールとし、これらを１本の横ポール若しくは２本以上の横ポールで連結するものであってもよい。
【００３９】
また、上部フレーム５の高さ位置として、下部フレーム４に対して高位置若しくは低位置に固定するものについて説明したが、高位置と低位置との間の位置に固定するものであってもよい。また、低位置とする場合には、上部フレーム５の脚ポール２０の下部フレーム４の縦ポール１０に対する差し込みが最も深くなった時点でストッパなどにより停止させることにより位置決めするようにしてもよい。
【００４０】
また、上下フレーム４，５に設けるフック１２，２２として、上部フレームに対しては横ポール２１、下部フレーム４に対しては縦ポール１０にそれぞれ設けるものについて説明した。しかし、上部フレーム５に対して脚ポール２０、下部フレーム４に対して横ポール１１に設けるものであってもよい。
【００４１】
また、表示するシートとして、工事現場で使用する反射シートについて説明したが、店舗の案内・宣伝用等の使用形態においても利用可能であることから、反射シートでなくてもよく、シートであればよい。
【００４２】
本実施形態においては、以下に記載する効果を奏することができる。
【００４３】
少なくとも左右一対の筒状の縦ポール１０同士を、横ポール１１により連結した下部フレーム４と、下部フレーム４の一対の縦ポール１０に摺動自在に挿入された脚ポール２０および脚ポール２０の上端部同士を連結する横ポール２１とからなり、下部フレーム４の縦ポール１０に対する脚ポール２０の挿入位置を変更することにより下部フレーム４に対して少なくとも高位置若しくは低位置を選択可能な上部フレーム５と、を備える。また、下部フレーム４の縦ポール１０の上端側に接続具１４Ａを介して揺動可能に設けた支持フレーム６と、支持フレーム６の下部フレーム４に対する開き角度を制限する開き止め部材７と、を備える。そして、上部フレーム５と下部フレーム４との間に固定されるシート３を備える。
【００４４】
このため、使用終了時に、上部フレーム５を下部フレーム４に対して低位置にすることにより、立看板１を収縮させて小型化することができる。結果として、回収・運搬や車両に積載して搬送することが容易となり、倉庫等への保管スペースも小さくすることができる。
【００４５】
下部フレーム４の縦ポール１０に対する上部フレーム５の脚ポール２０の挿入位置を浅くして、上部フレーム５を下部フレーム４に対して前記した高位置に固定する。そして、シート３の上端を、上部フレーム５に設けたフック２２に係合し、シート３の下端を、下部フレーム４に設けたフック１５に固定する。これにより、現場での使用時に、上下に広い表示領域を設定したシート３を備える立看板１とできる。
【００４６】
下部フレーム４の縦ポール１０に対する上部フレーム５の脚ポール２０の挿入位置を深くして、上部フレーム５を下部フレーム４に対して前記した低位置にする。そして、シート３の上端を、上部フレーム５に設けたフック２２に係合し、シート３の下端を、下部フレーム４の背面側を覆って、上部フレーム５に設けたフック２２に固定する。これにより、現場での使用時に、上下にコンパクトな表示領域を設定したシート３を備える立看板１とできる。
【００４７】
シート３の下端を、伸縮性のある弾性部材からなるテンションバンド５４を介して下部フレーム４若しくは上部フレーム５に設けたフック１５若しくは２２に固定する。これにより、シート３は、上部が上部フレーム５のフック２２に止められ、下部がテンションバンド５４により下方に引張られるため、皺や弛みが取れて、上下フレーム４，５に真っ直ぐに張設することができる。
【００４８】
シート３の幅寸法は、下部フレーム４の縦ポール１０及び上部フレーム５の脚ポール２０の幅寸法より小さく形成されている。このため、強い風が当たっても、シート３の幅方向の縁と縦ポール１０及び脚ポール２０との隙間を通り抜けるため、シート３がバタツクことを防止できる。
【００４９】
シート３の下端は、下部フレーム４の横ポール１１の下側をくぐらせて下部フレーム４の背面側に引出し、上下フレーム４，５のいずれかに固定されるようにしている。即ち、シート３の下端側は、下部フレーム４の最下段の横ポール１１に巻き付けられた状態となり、シート３をフレーム２に沿って平らな状態とすることができる。
【符号の説明】
【００５０】
１  立看板
２  フレーム
３  反射シート
４  下部フレーム
５  上部フレーム
６  支持フレーム
７  開き止め部材
１０  縦ポール
１１，２１  横ポール
１２  キャップ
１３  ナット
１４Ａ，１４Ｂ  接続金具
１５，２２  フック
１６  電柱固定用フック
１７  サムスクリュー
２０  脚ポール
５４  テンションバンド
【図１】
2014174373.tif 000003
【図２】
2014174373.tif 000004
【図３】
2014174373.tif 000005
【図４】
2014174373.tif 000006
【図５】
2014174373.tif 000007
【図６】
2014174373.tif 000008
【図７】
2014174373.tif 000009
【図８】
2014174373.tif 000010
【図９】
2014174373.tif 000011